(57)【要約】      （修正有）【課題】渦巻噴霧を生成する渦巻噴霧装置を提供する。【解決手段】渦巻噴霧装置は、水タンク１００、噴霧器２００、導流カバー３００及び渦巻駆動ファン４００を含む。噴霧器は水タンクに接続され、且つノズル２１０を有する。導流カバーは噴霧器を被覆しており、導流カバーは吸気口３０１及び吹出口３０２を取り囲む旋回流路３１０を有し、旋回流路は少なくとも一部が吹出口と連通しており、ノズルは吹出口内に位置する。渦巻駆動ファンは旋回流路と接続される。【選択図】図１
0003233964.tif 000002
【実用新案登録請求の範囲】
【請求項１】
水タンクと、
前記水タンクと接続され、且つノズルを有する噴霧器と、
前記噴霧器を被覆し、吹出口及び前記吹出口を取り囲む旋回流路を有し、前記旋回流路は少なくとも一部が前記吹出口と連通しており、前記ノズルは前記吹出口内に位置する、導流カバーと、
前記旋回流路と接続される、渦巻駆動ファンと、を含む渦巻噴霧装置。
【請求項２】
前記吹出口の内側縁と前記ノズルの外側縁との間に隙間を有する、請求項１に記載の渦巻噴霧装置。
【請求項３】
前記ノズルは前記隙間で囲まれている、請求項２に記載の渦巻噴霧装置。
【請求項４】
前記渦巻駆動ファンと前記旋回流路との間がテーパ路で接続されている、請求項１に記載の渦巻噴霧装置。
【請求項５】
前記導流カバー内に前記渦巻駆動ファンが収容されており、前記導流カバーには吸気口が設けられている、請求項１に記載の渦巻噴霧装置。
【請求項６】
前記旋回流路は円弧状縁を有しており、前記円弧状縁は延在して前記ノズルを取り囲んでおり、前記円弧状縁の内側縁の接線方向は前記吹出口の開口方向に平行である、請求項１に記載の渦巻噴霧装置。
【考案の詳細な説明】
【技術分野】
【０００１】
本考案は噴霧器に関し、特に渦巻噴霧を生成できる渦巻噴霧装置に関するものである。
【背景技術】
【０００２】
従来の噴霧器は通常、ノズルが繋がれていて水タンクと連通しており、噴霧器は水タンク内の液体をポンピングにより噴霧化してからノズルを通じて噴霧を噴出することができる。しかし、噴霧が噴出されると、それに含まれる液滴がすぐに重力を受けて落下するため、噴霧を効果的に拡散させることができなかった。
【０００３】
そこで、本考案者は改良を目標として、上述の従来技術について研究に専念し、且つ学理を応用して組み合わせ、上述の問題点を解決するために尽力した。
【考案の概要】
【考案が解決しようとする課題】
【０００４】
本考案は渦巻噴霧を生成できる渦巻噴霧装置を提供する。
【課題を解決するための手段】
【０００５】
本考案が提供する渦巻噴霧装置は、水タンク、噴霧器、導流カバー及び渦巻駆動ファンを含む。噴霧器は水タンクに接続され、且つノズルを有する。導流カバーは噴霧器を被覆しており、導流カバーは吹出口及び吹出口を取り囲む旋回流路を有し、旋回流路は少なくとも一部が吹出口と連通しており、ノズルは吹出口内に位置する。渦巻駆動ファンは旋回流路と接続される。
【０００６】
本考案の渦巻噴霧装置は、吹出口の内側縁とノズルの外側縁との間に隙間を有する。
【０００７】
本考案の渦巻噴霧装置は、ノズルが隙間で囲まれている。
【０００８】
本考案の渦巻噴霧装置は、渦巻駆動ファンと旋回流路との間がテーパ路で接続されている。
【０００９】
本考案の渦巻噴霧装置は、導流カバー内に渦巻駆動ファンが収容されており、導流カバーには吸気口が設けられている。
【００１０】
本考案の渦巻噴霧装置は、旋回流路が円弧状縁を有しており、円弧状縁は延在してノズルを取り囲んでおり、円弧状縁の内側縁の接線方向は吹出口の開口方向に平行である。
【考案の効果】
【００１１】
本考案の渦巻噴霧装置における旋回流路は、旋回流路により渦巻駆動ファンに渦巻気流の生成を誘導し、吹出口の接線方向に沿って渦巻気流を吹出口に導入して、噴霧が旋回流動して発散されるようにする。
【図面の簡単な説明】
【００１２】
【図１】本考案の好ましい実施例である渦巻噴霧装置の立体概略図である。
【図２】本考案の好ましい実施例である渦巻噴霧装置の立体概略図である。
【図３】本考案の好ましい実施例である渦巻噴霧装置の立体概略図である。
【図４】本考案の好ましい実施例である渦巻噴霧装置の使用状態の概略図である。
【図５】本考案の好ましい実施例である渦巻噴霧装置の使用状態の概略図である。
【図６】本考案の好ましい実施例である渦巻噴霧装置の使用状態の概略図である。
【考案を実施するための形態】
【００１３】
図１〜図３を参照して、本考案の好ましい実施例が提供する渦巻噴霧装置は、水タンク１００、噴霧器２００、導流カバー３００及び渦巻駆動ファン４００を含む。
【００１４】
本実施例中、水タンク１００は、渦巻噴霧装置全体の底部に設置するのが好ましい。水タンク１００は、浄水、消毒水又はその他の溶液を入れるのに用い得る。
【００１５】
噴霧器２００は水タンク１００の上に重ねて設置され、噴霧器２００は水タンク１００と連通しており、水タンク１００内に貯められた液体をポンピングし、液体を噴霧化して噴霧にすることができる。噴霧器２００はノズル２１０を有しており、本実施例中、ノズル２１０は上向きに配置して、噴霧を高い所へ向けて噴出分散させるのが好ましい。
【００１６】
図４〜図６を参照して、導流カバー３００は噴霧器２００を被覆しており、本実施例中、導流カバー３００には吸気口３０１と吹出口３０２が設けられている。具体的には、吹出口３０２は導流カバー３００の頂部に設置され、導流カバー３００の底部は開放してもよいし、噴霧器２００と閉じていてもよく、吸気口３０１は導流カバー３００の片側に設置されるが、本考案は吸気口３０１の設置位置を限定しない。導流カバー３００の内部には旋回流路３１０が設置されており、旋回流路３１０は湾曲流路であり、好適には平面円形流路か又は螺旋状流路でよいが、本考案はこれらに限らない。例えば、旋回流路３１０は非円形の環状流路でもよいし、一周に満たないで延在する円弧状流路でもよい。旋回流路３１０は吹出口３０２を取り囲んでおり、旋回流路３１０は少なくとも一部が吹出口３０２と連通しており、ノズル２１０は吹出口３０２内に位置している。具体的には、吹出口３０２の内側縁とノズル２１０の外側縁との間に隙間３０３を有しており、本実施例中、この隙間３０３はノズル２１０を取り囲む円環状の隙間３０３であるのが好ましい。
【００１７】
好適には、旋回流路３１０の内側縁は円弧状縁３１１を有しており、円弧状縁３１１は円弧状の上向き凸縁である。円弧状縁３１１は円環状を呈するように延在してノズル２１０を取り囲み、吹出口３０２の内側縁が円弧状縁３１１を取り囲んでいる。円弧状縁３１１の内側縁の接線方向は吹出口３０２の開口方向に平行である。
【００１８】
渦巻駆動ファン４００は導流カバー内に設置され、且つ旋回流路３１０と吸気口３０１との間に接続されている。さらに、渦巻駆動ファン４００と旋回流路３１０との間は、テーパ路３２０により接続されるのが好ましい。
【００１９】
本考案の渦巻噴霧装置における旋回流路３１０は、旋回流路３１０により渦巻駆動ファン４００が導入した気流の回転流動を誘導して渦巻気流を形成する。渦巻気流は吹出口３０２の接線方向に沿って吹出口３０２に進入し、噴霧が渦巻気流に吹き動かされて渦巻流動するようにさせる。渦巻流動させた噴霧は、空中での滞留時間が伸びるため、これによって効果的に外に発散させることができる。
【００２０】
上述は本考案の好ましい実施例に過ぎず、本考案の実用新案登録請求の範囲を限定するものではなく、本考案における実用新案登録請求の趣旨を応用した同等の効果が得られる改変は、いずれも本考案の実用新案登録請求の範囲に属する。
【符号の説明】
【００２１】
１００  水タンク
２００  噴霧器
２１０  ノズル
３００  導流カバー
３０１  吸気口
３０２  吹出口
３０３  隙間
３１０  旋回流路
３１１  円弧状縁
３２０  テーパ路
４００  渦巻駆動ファン
【図１】
0003233964.tif 000003
【図２】
0003233964.tif 000004
【図３】
0003233964.tif 000005
【図４】
0003233964.tif 000006
【図５】
0003233964.tif 000007
【図６】
0003233964.tif 000008